(57)【要約】【課題】アルミダイカスト製のものに比べて安価な郵便物投入口を提供する。【解決手段】左右両側部に設けられる合成樹脂製の小口蓋１と、この小口蓋１を建物側壁面に取り付けるために小口蓋１の裏面にセットされ上下方向中央部３ａに建物側壁面への取り付け用のねじ孔３ａ´が形成された取り付け金具３と、左右両側の小口蓋１間を上下で繋ぐべく押出しにより作られたアルミ型材からなる水平な枠体４，５と、左右両側の小口蓋１と上下の枠体４，５とで形成される開口部を枠体４，５の背面側で開閉自在とする押出しにより作られたアルミ型材からなる蓋体６と、小口蓋１を繋ぐ上側の枠体４内に位置して小口蓋１の一側部端面に開口する孔部７に差し込まれ前記蓋体６を支持する水平な支持軸８と、前記蓋体６を閉じる方向に付勢するコイルばね２４とから構成した。【選択図】    図１
2005282118.tif 000002
【特許請求の範囲】
【請求項１】
左右両側部に設けられる合成樹脂製の小口蓋と、この小口蓋を建物側壁面に取り付けるために小口蓋の裏面にセットされ上下方向中央部に建物側壁面への取り付け用のねじ孔が形成された取り付け金具と、左右両側の小口蓋間を上下で繋ぐべく押出しにより作られたアルミ型材からなる水平な枠体と、左右両側の小口蓋と上下の枠体とで形成される開口部を枠体の背面側で開閉自在とする押出しにより作られたアルミ型材からなる蓋体と、小口蓋を繋ぐ上側の枠体内に位置して小口蓋の一側部端面に開口する孔部に差し込まれ前記蓋体を支持する水平な支持軸と、前記蓋体を閉じる方向に付勢するばねとからなり、前記上下の枠体の端部は小口蓋の上下両端部に形成された頭部および尻部に外嵌合すると同時に小口蓋の裏面にセットされた取り付け金具の上下両端の板部の先端に係合するように構成したことを特徴とする郵便物投入口。
【発明の詳細な説明】
【技術分野】
【０００１】
本発明は、家庭の玄関などに設けられる郵便物投入口に関するものである。
【背景技術】
【０００２】
従来のこの種郵便物投入口としてアルミダイカスト製のものが知られており、投入口全体の大きさのアルミダイカスト製品を作るのに大きな金型が必要であった。
【発明の開示】
【発明が解決しようとする課題】
【０００３】
上記従来のアルミダイカスト製の投入口においては、作るのに大きな金型が必要であり、金型代が高価となり、コストアップに繋がるという問題があった。
本発明の目的は、このような課題を解決するものであり、アルミダイカスト製のものに比べて安価な郵便物投入口を提供することにある。
【課題を解決するための手段】
【０００４】
本発明の請求項１に記載の郵便物投入口は、左右両側部に設けられる合成樹脂製の小口蓋と、この小口蓋を建物側壁面に取り付けるために小口蓋の裏面にセットされ上下方向中央部に建物側壁面への取り付け用のねじ孔が形成された取り付け金具と、左右両側の小口蓋間を上下で繋ぐべく押出しにより作られたアルミ型材からなる水平な枠体と、左右両側の小口蓋と上下の枠体とで形成される開口部を枠体の背面側で開閉自在とする押出しにより作られたアルミ型材からなる蓋体と、小口蓋を繋ぐ上側の枠体内に位置して小口蓋の一側部端面に開口する孔部に差し込まれ前記蓋体を支持する水平な支持軸と、前記蓋体を閉じる方向に付勢するばねとからなり、前記上下の枠体の端部は小口蓋の上下両端部に形成された頭部および尻部に外嵌合すると同時に小口蓋の裏面にセットされた取り付け金具の上下両端の板部の先端に係合するように構成したことを特徴とする。
【発明の効果】
【０００５】
以上のように、本発明の郵便物投入口は、左右両側部に設けられる合成樹脂製の小口蓋と、この小口蓋を建物側壁面に取り付けるための取り付け金具と、左右両側の小口蓋間を上下で繋ぐべく押出しにより作られたアルミ型材からなる水平な枠体と、左右両側の小口蓋と上下の枠体とで形成される開口部を開閉自在とする押出しにより作られたアルミ型材からなる蓋体と、蓋体を支持する水平な支持軸とから構成されているので、全体をアルミダイカストで作る場合に比べてコストダウンを図ることができ、また前記枠体、蓋体、支持軸の長さを適宜設定することにより横幅サイズの異なる郵便物投入口を簡単に作ることができるという利点もある。
【発明を実施するための最良の形態】
【０００６】
以下、本発明の一実施の形態を、図１〜図９に基づいて説明する。
図において、本実施の形態の郵便物投入口は左右両側部に設けられる合成樹脂製の小口蓋１，１と、この小口蓋１，１を建物側壁面２に取り付けるための取り付け金具３，３と、左右両側の小口蓋１，１間を上下で繋ぐべく押出しにより作られたアルミ型材からなる水平な枠体４，５と、左右両側の小口蓋１，１と上下の枠体４，５とで形成される開口部を開閉自在とする押出しにより作られたアルミ型材からなる蓋体６と、小口蓋１，１を繋ぐ上側の枠体４内に位置して小口蓋１，１の一側部端面に開口する孔部７，７に差し込まれ前記蓋体６を支持する水平な支持軸８とから構成されている。
【０００７】
さらに詳しくは、前記小口蓋１，１はそれぞれ上下方向の中心を境に上下対象の形状を呈し、左右の小口蓋１，１は互いに上下方向の向きを変えて同じものが使用されるようになっており、各小口蓋１は小口蓋１の他側部側に他側部端面を形成する鍔部９を備え、この鍔部９より一側部側における上下両端部に前記上下の枠体４および５の端部を外嵌合させる頭部１０および尻部１１を備え、この頭部１０と尻部１１との間の部分は上下両端に水平面１２，１３が形成されるとともに上端の水平面１２と頭部１０の下面との間および下端の水平面１３と尻部１１の上面との間に隙間が形成され、また頭部１０と尻部１１との間の部分は前面部が前記鍔部９の前面部と面一状に形成されるとともに、両側部１４，１５において頭部１０と尻部１１に繋がり、この頭部１０と尻部１１に繋がる両側部１４，１５間の中央部１６の板厚は薄く形成され、この中央部１６の裏面側において頭部１０の下面側および尻部１１の上面側に開口する凹部１７が形成され、さらに前記両側部１４，１５の上下両端の水平面１２，１３には左右の幅方向に凸条部１８，１９が形成されている。なお、前記凸条部１８，１９は前記凹部１７と横方向に向く同一線上に位置し、前記中央部１６の裏面側で凹部１７に当接する前記取り付け金具３の上下両端が前記水平面１２，１３より上下に突出して前記凸条部１８，１９と並ぶように構成されている。
【０００８】
ところで、前記取り付け金具３は板材を折り曲げて作られており、上下方向の中央部３ａが前記建物側壁面２にビス２０止めにて取り付けられ、この中央部３ａの上下に位置する部分が前方に折り曲げられて鉛直方向に向く上下両端の板部３ｂ，３ｃの先端が前記凸条部１８，１９と一直線上に並ぶようになる。なお、板部３ｂ，３ｃの先端中央には小さな切り欠き部３ｄ，３ｅが形成されている。
【０００９】
前記枠体４および５は小口蓋１の頭部１０および尻部１１に外嵌合するとともに前記一直線上に並ぶ凸条部１８、板部３ｂの先端および凸条部１９、板部３ｃの先端に外嵌合する溝２１および２２が上側の枠体４においては下端に、下側の枠体５においては上端に形成されている。
【００１０】
前記蓋体６は上下の枠体４，５の背面側で左右両側の小口蓋１，１と上下の枠体４，５とで形成される開口部を閉じるように設けられるもので、上端に前記支持軸８を挿通させる孔部２３が形成されているとともに、上端の左右の幅方向中央部に切り欠き部６ａが形成されており、この切り欠き部６ａの位置で支持軸８に外嵌されたコイルばね２４の下端が蓋体６の裏面に当接し、コイルばね２４の上端が上側の枠体４の裏面に当接して蓋体６を閉じる方向に付勢している。蓋体６が閉じられた状態において、蓋体６の孔部２３より下側の板部６ｂの上端および下端は枠体４の下端背面および枠体５の上端背面に当接するようになっている。
【００１１】
上記構成において、郵便物投入口を組み立てるときは、先ず前記上側の枠体４に支持軸８、コイルばね２４、蓋体６を組み合わせた状態とするとともに、一方の小口蓋１には中央部１６の裏面側で凹部１７に取り付け金具３を当接させた状態とし、かかる状態で一方の小口蓋１の頭部１０に上側の枠体４の一端を外嵌合させるとともに枠体４の溝２１を凸条部１８、板部３ｂの先端に外嵌合させる。また、同時に支持軸８の一端を一方の小口蓋１の一側部１４側の頭部１０における端面に開口する孔部７に挿入する。続いて、下側の枠体５の一端を一方の小口蓋１の尻部１１に外嵌合させるとともに枠体５の溝２２を凸条部１９、板部３ｃの先端に外嵌合させる。その後、他方の小口蓋１に中央部１６の裏面側で凹部１７に取り付け金具３を当接させた状態とし、かかる状態で上下の枠体４，５の他端を他方の小口蓋１の頭部１０および尻部１１に外嵌合させると同時に上側の枠体４の溝２１を凸条部１８、板部３ｂの先端に外嵌合させ、下側の枠体５の溝２２を凸条部１９、板部３ｃの先端に外嵌合させる。また、上側の枠体４の他端を他方の小口蓋１の頭部１０に外嵌合させるとき、支持軸８の他端を他方の小口蓋１の一側部１４側の頭部１０における端面に開口する孔部７に挿入するのである。そして最後に前記各板部３ｂ，３ｃの先端中央の小さな切り欠き部３ｄ，３ｅの位置で前記上下の枠体４，５の溝２１，２２を背面側よりかしめることにより取り付け金具３は上下の枠体４，５に結合される。
【００１２】
以上のようにして組み立てられた郵便物投入口は建物側壁面２の内側より貫通させたビス２０の先端を左右両側の小口蓋１，１の背面側に位置する取り付け金具３の中央部３ａのねじ孔３ａ´に螺合させることにより建物側壁面２に取り付けられる。
【図面の簡単な説明】
【００１３】
【図１】本発明の一実施の形態における郵便物投入口の分解斜視図である。
【図２】同小口蓋の正面図である。
【図３】図２のＸ−Ｘ断面図である。
【図４】図２のＹ−Ｙ断面図である。
【図５】同蓋体の正面図である。
【図６】同蓋体の側面図である。
【図７】（Ａ）および（Ｂ）は同上下の枠体の側面図である。
【図８】同郵便物投入口の完成状態を示す斜視図である。
【図９】図８のＺ−Ｚ断面図である。
【符号の説明】
【００１４】
１            小口蓋
２            建物側壁面
３            取り付け金具
３ａ          中央部
３ａ´        ねじ孔
３ｂ，３ｃ    板部
３ｄ，３ｅ    切り欠き部
４，５        枠体
６            蓋体
６ａ          切り欠き部
６ｂ          板部
７            孔部
８            支持軸
９            鍔部
１０            頭部
１１            尻部
１２，１３      水平面
１４，１５      両側部
１６            中央部
１７            凹部
１８，１９      凸条部
２０            ビス
２１，２２      溝
２３            孔部
２４            コイルばね
【図１】
2005282118.tif 000003
【図２】
2005282118.tif 000004
【図３】
2005282118.tif 000005
【図４】
2005282118.tif 000006
【図５】
2005282118.tif 000007
【図６】
2005282118.tif 000008
【図７】
2005282118.tif 000009
【図８】
2005282118.tif 000010
【図９】
2005282118.tif 000011